(57)【要約】【課題】第１カードと、この第１カードよりも長さ、幅および厚さのすべての寸法が短い第２カードとの選択的な装着が可能であるとともに、こじりにより第２カードがケースの奥に入りすぎることが起こりにくいカード用コネクタ装置を提供すること。【解決手段】カードの挿入および排出方向に移動可能なスライド部材２０に、可動部材４０と第１，第２ロック部材６０，７０が設けられている。第２カード１００の挿入時、可動部材４０を第１，第２ロック部材６０，７０で、ケース２の幅方向において第２カード１００の挿入軌道内に突出する位置にロックする。第１カード９０の挿入時、第２ロック部材７０は第１カード９０で壁部７０Ａ側に方向に押圧され、カム面６２，７２の作用で第１ロック部材６０を第１カード９０の挿入方向に移動させながら側壁７０Ａ側に移動する。これに伴い第１ロック部材６０の突出部６１が可動部材４０の溝４３の位置に配置されロックが解除される。【選択図】図１６−１
2008218337.tif 000002
【特許請求の範囲】
【請求項１】
第１カードと、この第１カードよりも長さ、幅および厚さのすべての寸法が短い第２カードとが選択的に挿入されるケースと、
前記第１カードの挿入軌道を含む前記ケース内の空間を前記第１，第２カードの挿入方向およびこの挿入方向と反対方向である排出方向にスライド可能なスライド部材、および、前記排出方向に前記スライド部材を付勢する弾性部材を有するカード排出機構と、
前記第１，第２カードの幅方向に対応する前記ケースの幅方向において、前記第２カードの挿入軌道内に突出する規制位置と、前記第２カードの挿入軌道外である退避位置との間を移動できるように前記スライド部材に設けられた可動部材とを備えたカード用コネクタ装置であって、
前記ケースに設けられた前記第１，第２カードの挿入口と前記可動部材との間にあって、前記ケースに前記第１，第２カードのどちらが挿入されたかを、前記第１，第２カードの厚さ寸法の差から判定する判定手段と、
前記判定手段による判定結果が前記第２カードの挿入であるときに前記第２カードの挿入軌道内に前記可動部材を突出させた状態でロックさせ、前記判定手段による判定結果が前記第１カードの挿入であるときにロックを解除して、前記第１カードの挿入方向への移動に前記可動部材の前記退避位置への移動を連動させるロック手段とを備えたことを特徴とするカード用コネクタ装置。
【請求項２】
請求項１に記載の発明において、
前記判定手段が前記ケースに移動可能に設けられた判定部材を備え、
この判定部材の可動範囲が、前記第１，第２カードの厚さ方向に対応する前記ケースの厚さ方向において前記第２カードの挿入軌道を含む前記第１カードの挿入軌道内にあり前記第２カードの挿入軌道外にある初期位置と、前記第１カードの挿入軌道外である第１カード検出位置との間であり、
前記ロック手段が、前記スライド部材に移動可能に設けられた第１，第２ロック部材と、前記判定部材に設けられた阻止部とを備え、
前記第１ロック部材が、前記ケースの幅方向において前記可動部材を基準にした前記第１カードの挿入軌道側とは反対側に配置され、前記第１ロック部材の可動範囲が、前記挿入方向および前記排出方向において、前記可動部材の前記退避位置に向かう方向の移動を阻止するロック位置と、前記退避位置に向かう方向への移動を許容する解除位置との間であり、
前記第２ロック部材の可動範囲が、前記ケースの幅方向において、前記第１カードの挿入軌道内に突出した突出位置と前記第１カードの挿入軌道外の引込み位置との間であり、
前記阻止部が、前記判定部材が前記初期位置にあり前記第２ロック部材が突出位置にあるときに、前記引込み位置に向かう方向への前記第２ロック部材の移動を阻止し、前記判定部材が前記第１カード検出位置にあるときに、前記第２ロック部材に対する移動の阻止を解除するよう形成され、
前記第１，第２ロック部材はカム機構を構成し、このカム機構が、前記ロック位置から前記解除位置に向かう方向への前記第１ロック部材の移動に、前記引込み位置から前記突出位置に向かう方向へ前記第２ロック部材の移動を連動させ、かつ、前記突出位置から引込み位置に向かう方向への前記第２ロック部材の移動に、前記ロック位置から前記解除位置に向かう方向への前記第１ロック部材の移動を連動させることを特徴とするカード用コネクタ装置。
【請求項３】
請求項２に記載の発明において、
前記突出位置にあるときの前記第２ロック部材と、この第２ロック部材と幅方向において対向する前記ケースの側壁の間隔寸法が、前記第２カードの幅寸法とほぼ等しく設定され、
前記引込み位置にあるときの前記第２ロック部材と前記側壁の間隔寸法が、前記第１カードの幅寸法とほぼ等しく設定されたことを特徴とするカード用コネクタ装置。
【請求項４】
請求項２に記載の発明において、
前記判定部材が前記挿入口の近傍に設けられ、
この判定部材には、前記ケースの厚さ方向における前記第２カードの移動をガイドするガイド面が形成されたことを特徴とするカード用コネクタ装置。
【発明の詳細な説明】
【技術分野】
【０００１】
本発明は、寸法の異なる第１，第２カードが選択的に装着されるカード用コネクタ装置に関する。
【背景技術】
【０００２】
従来のカード用コネクタ装置としては、特許文献１で開示された従来技術がある。この従来技術は、種類の異なる第１，第２カードが選択的に挿入されるケースを備えている。
【０００３】
第２カードは、ケースへの挿入方向における長さ寸法が第１カードよりも短く、幅寸法が第１カードとほぼ等しく、端部の一方の側部の形状が第１カードと異なっている。
【０００４】
ケース内には、ケースに装着された第１カードや第２カードを排出方向に移動させるカード排出機構が設けられている。このカード排出機構は、第１カードの挿入軌道を含むケース内の空間を、第１，第２カードの挿入方向およびこの挿入方向と反対方向である排出方向にスライド可能なスライド部材と、排出方向にスライド部材を付勢する弾性部材を備えている。また、このカード排出機構は、ケースに第１カードが装着された状態において第１カードが占めるケース内の装着領域から外れた位置にスライド部材を停止させたり、その停止状態を解除したりすることができるようになっている。
【０００５】
スライド部材には、可動部材が設けられている。この可動部材は、第１，第２カードの幅方向に対応するケースの幅方向に回動可能で、第２カードの挿入軌道内に突出可能な可動部材になっている。この可動部材は、第２カードの挿入軌道内に突出する方向に、弾性部材で付勢されている。この可動部材はさらに、挿入方向に移動する第１カードの前端部の一方の側部によって第１カードの挿入軌道から退く方向に押し退けられ、挿入方向に移動する第２カードの前端部の一方の側部に引っ掛かる形状になっている。
【０００６】
このように構成された従来技術では、ケースに第１カードが挿入されたとき、挿入方向に移動する第１カードの前端部の一方の側部が可動部材を弾性部材の弾性力に抗して押し退けるから、第１カードの前端部は挿入方向における可動部材の位置を通過して、スライド部材に当接する。そして、第１カードはスライド部材を弾性部材に抗して挿入方向にスライドさせながら移動していく。その後、スライド部材が停止し、第１カードの装着が完了する。
【０００７】
一方、ケースに第２カードが挿入されたとき、第２カードの前端部の一方の側部が可動部材に引っ掛かる。そして、第２カードは可動部材を押圧することでスライド部材を弾性部材に抗して挿入方向にスライドさせながら移動していく。その後、スライド部材が停止し、第２カードの装着が完了する。
【０００８】
つまり、第２カードがスライド部材を押し動かす位置は、可動部材によって第１カードよりも手前に設定されている。これにより、装着完了時の第１カードの位置よりも手前に、装着完了時の第２カードが位置決めされる。つまり、第２カードがケースの奥に入りすぎることが防止される。
【特許文献１】特開２００５−１９０９８４公報
【発明の開示】
【発明が解決しようとする課題】
【０００９】
ところで、カード用コネクタ装置に対しては、第１カードと、この第１カードよりも長さ、幅および厚さのすべての寸法が短い第２カードとが選択的に装着できるようにすることが要望されている。
【００１０】
前述した従来技術では、可動部材によって第１，第２カードのそれぞれの挿入方向における位置決めを行っているが、第２カードを幅方向にこじることで弾性部材の弾性力に抗して可動部材を押し退けることができるため、第２カードがケースの奥に入りすぎるおそれがある。前記要望に応えるためのカード用コネクタ装置に、従来技術における可動部材および弾性部材を含む機構と同様ものを採用すると、その要望では第２カードの幅寸法が第１カードよりも短いことから、こじりによりケースの奥に第２カードが入りすぎるという事態がさらに起こりやすくなることが考えられる。
【００１１】
本発明は、前述の実状を考慮してなされたものであり、その目的は、第１カードと、この第１カードよりも長さ、幅および厚さのすべての寸法が短い第２カードとが選択的に装着でき、かつ、こじりにより第２カードがケースの奥に入りすぎる事態を防止できるカード用コネクタ装置を提供することにある。
【課題を解決するための手段】
【００１２】
前述の目的を達成するために、本発明は次のように構成されている。
【００１３】
〔１〕本発明は、第１カードと、この第１カードよりも長さ、幅および厚さのすべての寸法が短い第２カードとが選択的に挿入されるケースと、前記第１カードの挿入軌道を含む前記ケース内の空間を前記第１，第２カードの挿入方向およびこの挿入方向と反対方向である排出方向にスライド可能なスライド部材、および、前記排出方向に前記スライド部材を付勢する弾性部材を有するカード排出機構と、前記第１，第２カードの幅方向に対応する前記ケースの幅方向において、前記第２カードの挿入軌道内に突出する規制位置と、前記第２カードの挿入軌道外である退避位置との間を移動できるように前記スライド部材に設けられた可動部材とを備えたカード用コネクタ装置であって、前記ケースに設けられた前記第１，第２カードの挿入口と前記可動部材との間にあって、前記ケースに前記第１，第２カードのどちらが挿入されたかを、前記第１，第２カードの厚さ寸法の差から判定する判定手段と、前記判定手段による判定結果が前記第２カードの挿入であるときに前記第２カードの挿入軌道内に前記可動部材を突出させた状態でロックさせ、前記判定手段による判定結果が前記第１カードの挿入であるときにロックを解除して、前記第１カードの挿入方向への移動に前記可動部材の前記退避位置への移動を連動させるロック手段とを備えたことを特徴とする。
【００１４】
このように構成された本発明には、次のようにして第１，第２カードが装着される。
【００１５】
＜第１カードの装着＞
判定手段は、ケースに挿入されたカードが第１カードの挿入であると判定する。これに伴い、ロック手段は可動部材のロックを解除し、可動部材は第１カードの挿入方向への移動に連動して退避位置に移動する。これにより、第１カードの前端部は可動部材よりもケースの奥側まで移動してスライド部材に当接する。そして、第１カードはスライド部材を弾性部材の弾性力に抗して挿入方向にスライドさせながら、ケースの奥に向かって移動していく。その後、スライド部材が停止すると、ケースへの第１カードの装着が完了する。
【００１６】
＜第２カードの装着＞
判定手段は、ケースに挿入されたカードが第２カードの挿入であると判定する。これに伴い、ロック手段は、第２カードの挿入軌道内に可動部材を突出させた状態でロックさせたままにする。これにより、ケース内を挿入方向に移動する第２カードの前端は、可動部材に当接する。そして、第２カードは可動部材を押圧することでスライド部材を弾性部材の弾性力に抗して挿入方向にスライドさせながら、ケースの奥に向かって移動していく。その後、スライド部材が停止すると、ケースへの第２カードの装着が完了する。
【００１７】
このようにして第２カードが装着された状態では、可動部材がロックされているから、第２カードがこじられても可動部材が移動することはなく、したがって、こじりにより第２カードがケースの奥に入りすぎることを防止できる。
【００１８】
〔２〕  本発明は、「〔１〕」に記載の発明において、前記判定手段が前記ケースに移動可能に設けられた判定部材を備え、この判定部材の可動範囲が、前記第１，第２カードの厚さ方向に対応する前記ケースの厚さ方向において前記第２カードの挿入軌道を含む前記第１カードの挿入軌道内にあり前記第２カードの挿入軌道外にある初期位置と、前記第１カードの挿入軌道外である第１カード検出位置との間であり、前記ロック手段が、前記スライド部材に移動可能に設けられた第１，第２ロック部材と、前記判定部材に設けられた阻止部とを備え、前記第１ロック部材が、前記ケースの幅方向において前記可動部材を基準にした前記第１カードの挿入軌道側とは反対側に配置され、前記第１ロック部材の可動範囲が、前記挿入方向および前記排出方向において、前記可動部材の前記退避位置に向かう方向の移動を阻止するロック位置と、前記退避位置に向かう方向への移動を許容する解除位置との間であり、前記第２ロック部材の可動範囲が、前記ケースの幅方向において、前記第１カードの挿入軌道内に突出した突出位置と前記第１カードの挿入軌道外の引込み位置との間であり、前記阻止部が、前記判定部材が前記初期位置にあり前記第２ロック部材が突出位置にあるときに、前記引込み位置に向かう方向への前記第２ロック部材の移動を阻止し、前記判定部材が前記第１カード検出位置にあるときに、前記第２ロック部材に対する移動の阻止を解除するよう形成され、前記第１，第２ロック部材はカム機構を構成し、このカム機構が、前記ロック位置から前記解除位置に向かう方向への前記第１ロック部材の移動に、前記引込み位置から前記突出位置に向かう方向へ前記第２ロック部材の移動を連動させ、かつ、前記突出位置から引込み位置に向かう方向への前記第２ロック部材の移動に、前記ロック位置から前記解除位置に向かう方向への前記第１ロック部材の移動を連動させることを特徴とするものであってもよい。
【００１９】
このように構成された本発明では、第１カードと、この第１カードよりも長さ、幅および厚さのすべての寸法が短い第２カードとが選択的に装着でき、かつ、こじりにより第２カードがケースの奥に入りすぎる事態を防止できるカード用コネクタ装置を確実に実現できる。
【００２０】
〔３〕  本発明は、「〔２〕」に記載の発明において、前記突出位置にあるときの前記第２ロック部材と、この第２ロック部材と幅方向において対向する前記ケースの側壁の間隔寸法が、前記第２カードの幅寸法とほぼ等しく設定され、前記引込み位置にあるときの前記第２ロック部材と前記側壁の間隔寸法が、前記第１カードの幅寸法とほぼ等しく設定されたことを特徴とするものであってもよい。
【００２１】
このように構成された本発明によれば、第２ロック部材が突出位置にあるときには、第２ロック部材とケースの側壁の間で第２カードの幅方向への移動を阻止でき、第２ロック部材が引込み位置にあるときには、第２ロック部材とケースの側壁の間で第１カードの幅方向の移動を阻止できる。これにより、第１カードや第２カードの挿入時におけるそのカードの幅方向のブレを防止することができる。
【００２２】
〔４〕  本発明は、「〔２〕」に記載の発明において、前記判定部材が前記挿入口の近傍に設けられ、この判定部材には、前記ケースの厚さ方向における前記第２カードの移動をガイドするガイド面が形成されたことを特徴とするものであってもよい。
【００２３】
このように構成された本発明によれば、ケースの厚さ方向における第２カードのガイド機能を判定部材が兼ねるから、そのガイド機能を備えることに伴うカード用コネクタ装置の部品点数の増加が生じない。
【発明の効果】
【００２４】
本発明によれば、第１カードと、この第１カードよりも長さ、幅および厚さのすべての寸法が短い第２カードとが選択的に装着できるから、カード用コネクタ装置の用途の自由度の向上に貢献できる。また、こじりにより第２カードがケースの奥に入りすぎる事態を防止できるから、カード用コネクタ装置やカードの故障の低減に貢献できる。
【発明を実施するための最良の形態】
【００２５】
本発明のカード用コネクタ装置の一実施形態について図を用いて説明する。
【００２６】
図１は本発明のカード用コネクタ装置の一実施形態の外観を示す斜視図である。図２は第１カードの外観を示す３面図であり、（ａ）は平面図、（ｂ）は側面図、（ｃ）は裏面図である。図３は第２カードの外観を示す３面図であり、（ａ）は平面図、（ｂ）は側面図、（ｃ）は裏面図である。図４は図１に示した実施形態が分解された状態を左側面側から見た分解斜視図である。図５は図１に示した実施形態が分解された状態の右側面側から見た分解斜視図である。図６は図４，５に示したスライド体の分解斜視図である。図７は図６に示したスライド部材のガイド溝と第１ロック部材の摺動突起とを示す斜視図である。図８は図４，５に示した可動部材と第１ロック部材と第２ロック部材と判定部材との位置関係を示す平面図である。
【００２７】
本実施形態は、図１に示すカード用コネクタ装置１である。このカード用コネクタ装置１は、ケース２を備えている。このケース２は、２種類のカード、すなわち図２に示す第１カード９０と、図３に示す第２カード１００とが選択的に挿入される空洞を形成している。図１における３は空洞の一端に形成された開口、すなわち、第１，第２カード９０，１００の挿入口である。
【００２８】
第１カード９０は、ケース２に対する挿入方向および排出方向（挿入方向とは反対方向）における長さ寸法Ａ、幅寸法Ｂ、厚さ寸法Ｃに形成されている。第１カード９０の裏面の前端部には複数の端子９１が設けられている。これらの端子９１は第１カード９０の幅方向に並んでいる。第１カード９０の前端部の一方の側部（図２（ａ）の右側）には、面取り部９２が形成されている。この面取り部９２は、平面視における第１カード９０の他の３つの角よりも大きく面取りされている。
【００２９】
第２カード１００は、挿入方向および排出方向における長さ寸法ａ（＜Ａ）、幅寸法ｂ（＜Ｂ）、厚さ寸法ｃ（＜Ｃ）に形成されている。つまり、第２カード１００は、第１カード９０よりも長さ、幅および厚さのすべての寸法が短く形成されている。第２カード１００の裏面の前端部には複数の端子１０１が設けられている。これらの端子１０１は第２カード１００の幅方向に並んでいる。第２カード１００の前端部の一方の側部（図３（ａ）の右側）には、面取り部１０２が形成されている。この面取り部１０２は、平面視における第２カード１００の他の３つの角よりも大きく面取りされている。
【００３０】
図１，４，５に示すように、ケース２は、ケース本体４と、ケース本体４に固定されたカバー１０とから構成されている。ケース本体４は、図４，５に示すように、第１，第２カード９０，１００の裏面に対向することになる底部５と、第１，第２カード９０，１００の幅方向に対応するケース２の幅方向において対向するケース２の内壁面を形成する側壁６Ａ，６Ｂと、ケース２の奥側の内壁面を形成する前壁７とから形成されている。底部５には、第１カード９０の複数の端子９１に対応する複数の第１カード用端子８と、第２カード１００の複数の端子１０１に対応する複数の第２カード用端子９とが設けられている。ケース２内において、第２カード用端子９は、第１カード用端子８よりも手前（挿入方向における後側）に配置されている。
【００３１】
カバー１０は、底部５に対向して配置され、側壁６Ａ，６Ｂおよび前壁７に囲まれる空間を覆う平板部１１と、側壁６Ａ，６Ｂおよび前壁７のそれぞれに外側から対向するように配置される側板部１２Ａ，１２Ｂおよび前板部１３とから形成されている。第１，第２カード９０，１００が挿入される前記空洞は、カバー１０の平板部１２、ケース本体４の底部５、側壁６Ａ，６Ｂおよび前壁８により形成されている。
【００３２】
本実施形態は、ケース２に装着された第１カード９０や第２カード１００を排出方向に移動させるためのカード排出機構を備えている。このカード排出機構は、スライド体１４を備えている。スライド体１４はスライド部材２０を本体としている。このスライド部材２０は、ケース本体４の側壁６Ａと底部５によりガイドされることによって、第１カード９０の挿入軌道を含むケース２内の空間を、第１，第２カード９０，１００の挿入方向および排出方向に移動可能になっている。ケース本体４の前壁７とスライド部材２０との間には、スライド部材２０を排出方向に付勢する弾性部材、すなわちコイルスプリング１５が配置されている。
【００３３】
カード排出機構はさらに、ケース２に第１カード９０が装着された状態において第１カード９０が占めるケース２内の装着領域から外れた位置にスライド部材２０を停止させたり、その停止状態を解除したりすることを可能にするはハートカム機構を備えている。このハートカム機構は、スライド部材２０に形成されたハート型カム溝３１（図６に示す）と、ケース２の前壁７に回動可能に支持され、ハート型カム溝３１に挿入されるピン３２（図４，図５に示す）と、カバー１０の平板部１１に設けられ、ピン３２をハート型カム溝３１の底部に押し付ける片持ちバネ３３（図４，５に示す）とから構成されている。
【００３４】
図６に示すように、スライド部材２０には、可動部材４０を備えている。スライド部材２０には、可動部材４０が配置される平坦面２１が設けられている。この平坦面２１には、ケース２の幅方向に延びたガイド溝２２，２３が形成されている。可動部材４０には、それらのガイド溝２２，２３のそれぞれに挿入される突起部４１，４２が設けられている。これらガイド溝２２，２３と突起部４１，４２とによって、可動部材４０の可動範囲が、第１，第２カード９０，１００の幅方向に対応するケース２の幅方向において、第２カード１００の挿入軌道内に突出する規制位置と、第２カード１００の挿入軌道外である退避位置との間に設定されている。可動部材４０には、挿入方向に移動する第１カード９０の面取り部９２から受ける挿入方向の押圧力を、ケース２の幅方向においてケース２の内部から外部に向かう方向の押圧力に変換する第１カード用傾斜面４６が設けられている。
【００３５】
本実施形態は、ケース２に第１，第２カード９０，１００のどちらが挿入されたかを、第１，第２カード９０，１００の厚さ寸法の差から判定する判定手段を備えている。この判定手段は、ケース２の挿入口３と可動部材４０との間における挿入口３の近傍に設けられた判定部材５０（図４，５に示す）を備えている。この判定部材５０は側壁６Ａ，６Ｂ間に架渡され、これらの側壁６Ａ，６Ｂに回動可能に支持されている。判定部材５０の回動範囲は、第１，第２カード９０，１００の厚さ方向に対応するケース２の厚さ方向において第２カード１００の挿入軌道を含む第１カード９０の挿入軌道内にあり第２カード１００の挿入軌道外にある初期位置と、第１カード９０の挿入軌道外である第１カード検出位置との間に設定されている。判定部材５０はトーションスプリング５５によって、第１カード検出位置から初期位置に回動する方向に付勢されている。トーションスプリング５５は判定部材５０とケース本体４の間で保持されている。
【００３６】
本実施形態は、判定手段による判定結果が第２カード１００の挿入であるときに第２カード１００の挿入軌道内に可動部材４０を突出させた状態でロックさせ、判定手段による判定結果が第１カード９０の挿入であるときにロックを解除して、第１カード９０の挿入方向への移動に可動部材４０の退避位置への移動を連動させるロック手段を備えている。このロック手段は、スライド部材２０に設けられた第１，第２ロック部材６０，７０を備えている。
【００３７】
第１ロック部材６０は、ケース２の幅方向において可動部材４０を基準にした第１カード９０の挿入軌道側とは反対側に位置するよう、スライド部材２０の平坦面２１に配置されている。また、スライド部材２０には、平坦面２１にケース２の厚さ方向と奥行方向に広がったガイド面２４が形成されていて、このガイド面２４に第１ロック部材６０が当接している。可動部材４０には、この可動部材４０をケース２の幅方向に貫通する溝４３が設けられている。スライド部材２０には、ケース２の幅方向におけるケース２の外部から内部に向かう方向に突出し、溝４３に挿入可能な突出部６１が設けられている。これらにより、第１ロック部材６０の可動範囲は、挿入方向および排出方向において、第１カード９０の挿入軌道とは反対側の可動部材４０の側部に突出部６１が当接して可動部材４０の退避位置に向かう方向への移動を阻止するロック位置と、突出部と溝４３の位置が一致して可動部材４０の退避位置に向かう方向への移動を許容する解除位置とに設定されている。
【００３８】
第２ロック部材７０も、スライド部材２０の平坦面２１に配置されている。平坦面２１よりもケース２の後端部側に位置するスライド部材２０には、ケース２の幅方向においてケース２の外部から内部に向かう方向に延びたガイド部２５が設けられている。このガイド部２５には、ケース２の幅方向に延びたガイド孔２６が設けられている。第２ロック部材７０には、ケース２の底部５からカバー１０の平板部１１に向かう方向に突起した突起部７１が設けられていて、この突起部７１がガイド孔２６にケース２の幅方向に摺動可能に嵌め込まれている。これらにより、第２ロック部材７０の動作範囲は、ケース２の幅方向において、第１カード９０の挿入軌道内に突出した突出位置と第１カード９０の挿入軌道外の引込み位置との間に設定されている。
【００３９】
第１，第２ロック部材６０，７０間はカム機構を構成している。このカム機構は、第１，第２ロック部材６０，７０のそれぞれに設けられた傾斜面からなるカム面６２，７２により実現されている。これらのカム面６２，７２は、前方の部分ほど、幅方向におけるケース２の中央に近くなるように傾斜している。これらのカム面６２，７２の傾斜角度は、ケース２の奥行方向（挿入方向および排出方向）と厚さ方向に平行な想像上の面（図示していない）を基準にした場合、例えば４５°傾斜に設定されている。
【００４０】
第２ロック部材７０には、挿入方向に移動する第１カード９０の面取り部９２から受ける挿入方向の押圧力を、ケース２の幅方向においてケース２の内部から外部に向かう方向の押圧力に変換する第１カード用傾斜面７３も設けられている。第１ロック部材６０にも、挿入方向に移動する第１カード９０の面取り部９２から受ける挿入方向の押圧力を、ケース２の幅方向においてケース２の内部から外部に向かう方向の押圧力に変換する第１カード用傾斜面６３が設けられている。
【００４１】
第１ロック部材６０は、自身がロック位置から解除位置に向かう方向へ移動したときに、カム面６２，７２によって第２ロック部材７０を引込み位置から突出位置に向かう方向へ移動させることになる。また、第２ロック部材７０は、自身が突出位置から引込み位置に向かう方向への移動したときに、カム面６２，７２によって第１ロック部材６０をロック位置から解除位置に向かう方向へ移動させることになる。
【００４２】
突出位置にあるときの第２ロック部材７０と、この第２ロック部材７０と幅方向において対向するケース２の側壁６Ｂとの間の間隔寸法は、第２カード１００の幅寸法とほぼ等しく設定されている。また、引込み位置にあるときの第２ロック部材７０と側壁６Ｂの間隔寸法は、第１カード９０の幅寸法とほぼ等しく設定されている。
【００４３】
ロック手段はさらに、判定部材５０に設けられた阻止部５１を備えている。この阻止部５１は、図４，５に示すように、判定部材５０の側部において、ケース２の手前から奥に向かう方向に突出している。また、図８に示すように、判定部材５０が初期位置にあるとき、阻止部５１は、ロック位置にある第１ロック部材６０と突出位置にある第２ロック部材６０，７０との間に形成された空間内に突出するよう形成されている。このように阻止部５１が設けられたことによって、判定部材５０が初期位置にあり第２ロック部材７０が突出位置にあるときに、引込み位置に向かう方向への第２ロック部材７０の移動が阻止され、判定部材５０が第１カード検出位置にあるときに、第２ロック部材７０に対する移動の阻止が解除されるようになっている。
【００４４】
判定部材５０にはさらに、ケース２の厚さ方向における第２カード１００の移動をガイドする第２カード用ガイド面５２が設けられている。この第２カード用ガイド面５２は、判定部材５０が初期位置にあるとき、挿入方向においてケース本体４の底部５から離れる方向に傾斜する傾斜面５３と、底部５と平行な方向に広がる平坦面５４とから構成されている。平坦面５４とカバー１０の平板部１１との間隔寸法は、第１カード９０の厚さ寸法よりも十分短く、第２カード１００の厚さ寸法よりも若干長く設定されている。
【００４５】
本実施形態は、可動部材４０を突出位置に向かう方向に付勢する付勢手段、第１ロック部材６０をロック位置に向かう方向に付勢する付勢手段を兼ねるトーションスプリング３０を備えている。スライド部材２０の平坦面２１には円柱部２７が設けられていて、トーションスプリング３０に挿通されている。可動部材４０には、ケース２の幅方向においてケース２の内部から外部に向かう方向に広がった段違いの第１，第２鍔部４４，４５が、この順番で挿入方向に並んでいる。第２鍔部４５は第１鍔部４４よりもケース２の底部５から離れていて、トーションスプリング３０の一端部３０ａが第１鍔部４４と第２鍔部４５との間でケース２の厚さ方向に挟まれた状態で、可動部材４０に引っ掛けられている。スライド部材２０には突起部２８が設けられていて、この突起部２８にトーションスプリング３０の他端部３０ｂが引っ掛けられている。
【００４６】
スライド部材２０には、第１カード９０の側部に設けられた切欠き９３（図２に示す）に嵌合可能なバネ部材８０が設けられている。第２ロック部材７０には、第２カード１００の側部に設けられた切欠き１０３（図３に示す）に嵌合可能なバネ部材８１が設けられている。
【００４７】
ケース本体４の底部５には、板体８２がケース２の厚さ方向に回動可能に支持されている。この板体８２は、ケース２の厚さ方向においてすべての第２カード用端子９と重なっている。この板体８２には、この板体８２が複数の第２カード用端子９の弾性力により底部５から浮かされた状態において、複数の第２カード用端子９のそれぞれ接点を突出させる複数のスリット８３が設けられている。
【００４８】
本実施形態の動作について説明する。
【００４９】
＜第１カードの装着＞
第１カード９０が装着されるときの本実施形態の動作について説明する。
【００５０】
図９は第１カードの前端部がケースの挿入口に挿入された初期の状態であって、第１カードの挿入が判定部材により検出される前のケース内の状態を、カバーを取り除いて示す平面図である。図１０−１は図９に示した状態から第１カードの挿入が進行し、判定部材が第１カードの前端部の挿入を検出して第２ロック部材に対する移動の阻止を解除したときのケース内の状態を平面図である。図１０−２は図１０−１に示した状態における判定部材および第１，第２ロック部材の側面図である。
【００５１】
図９に示す状態から図１０−１に示すように第１カード９０の挿入が進行すると、第１カード９０の前端部は判定部材５０をトーションスプリング５５の弾性力に抗して第１カード検出位置まで回動させる。これにより、図１０−２に示すように、阻止部５１が第１，第２ロック部材７０間の空間から離脱する。つまり、第２ロック部材７０の引込み位置に向かう方向の移動の阻止が解除された状態になる。
【００５２】
図１１−１は図１０−１に示した状態から第１カードの挿入が進行し、第１カードの面取り部が第２ロック部材を押圧操作し始めたときのケース内の状態を示す平面図である。図１１−２は図１１−１に示した状態における第１カードと第１ロック部材と２ロック部材と可動部材との位置関係を示す平面図である。
【００５３】
図１０−１の状態から第１カード９０の挿入が進行すると、図１１−１，図１１−２に示すように、第１カード９０の面取り部９２は第２ロック部材７０の第１カード用傾斜面７３を押圧する。これにより、トーションスプリング３０の弾性力に抗して、第２ロック部材７０が引込み位置の方向に移動し、これと同時にカム面６２，７２の作用により第１ロック部材６０が解除位置の方向（挿入方向）に移動し始める。
【００５４】
図１２−１は図１１−１に示した状態から第１カードの挿入が進行し、可動部材のロックが解除されたときのケース内の状態を示す平面図である。図１２−２は図１２−１に示した状態における第１カードと第１ロック部材と第２ロック部材と可動部材との位置関係を示す平面図である。
【００５５】
図１１−１，図１１−２に示した状態から挿入方向へ移動する第１カード９０は、板体８２をケース本体４の底部５の方向に回動させる。これにより、第２カード用端子９と第１カード９０との接触が避けられる。このようにして第１カード９０の挿入が進行していく間、第２ロック部材７０を押圧する第１カード９０の部分が、面取り部９２から直線上の側部になり、図１２−１，図１２−２に示すように第１カード９０の面取り部９２が可動部材４０の第１カード用傾斜面４６に当接したとき、第２ロック部材７０は引込み位置に達し、第１ロック部材６０の突出部６１がケース２の奥行方向において可動部材４０の溝４３の位置に一致して、可動部材４０の退避位置に向かう方向への移動が許容された状態になる。
【００５６】
図１３−１は図１２−１に示した状態から第１カードの挿入が進行し、第１カードの前端部がスライド部材に当接したときのケース内の状態を示す平面図である。図１３−２は図１３−１に示した状態における第１カードと第１ロック部材と第２ロック部材と可動部材との位置関係を示す平面図である。
【００５７】
図１２−１，図１２−２に示した状態から第１カード９０の挿入が進行すると、可動部材４０は、第１カード９０から受けた挿入方向の押圧力が第１カード用傾斜面４６により退避位置に向かう方向の押圧力に変換されること、並びに、第１ロック部材６０の突出部６１が溝４３に挿入されることによって、図１３−１，図１３−２に示すように退避位置に押し退けられる。その後、さらに挿入が進行すると、第１カード９０はスライド部材２０に当接する。
【００５８】
図１４は図１３−１に示した状態から第１カードの挿入が進行し、第１カードおよびスライド部材が挿入方向への移動の限界位置に達した状態を示す平面図である。図１５は第１カードの装着が完了したときのケース内の状態を示す平面図である。
【００５９】
図１３−１に示した状態以後、第１カード９０はスライド部材２０をコイルスプリング１５の弾性力に抗して挿入方向に押し動かしながら、図１４に示すように挿入方向への移動の限界位置に達する。そして、第１カード９０に対する押圧力が取り除かれると、ハート型カム溝３１とピン３２の位置関係によってスライド部材２０が若干排出方向に移動した後に停止し、複数の端子９１のそれぞれが複数の第１カード用端子８のそれぞれと接触した状態に第１カード９０が保持され、図１５に示すように、第１カード９０の装着が完了する。
【００６０】
なお、装着された状態の第１カード９０の後端がコイルスプリング１５の弾性力に抗して挿入方向に押圧されると、ハート型カム溝３１とピン３２の位置関係が変化し、スライド部材２０の停止が解除される。そして、第１カード９０に対する押圧力が取り除かれると、コイルスプリング１５の復元力によりスライド部材２０とともに第１カード９０が排出方向に移動する。これにより、挿入方向および排出方向においてケース２から突出する第１カード９０の部分の長さが装着完了時よりも長くなり、使用者にとって第１カード９０がケース２から引き抜きやすくなる。
【００６１】
＜第２カードの装着＞
第２カードが装着されるときの本実施形態の動作について説明する。
【００６２】
図１６−１は、ロックされた可動部材に第２カードの前端部が当接したときのケース内の状態を示す平面図である。図１６−２は図１６−１に示した状態における判定部材および第１，第２ロック部材の側面図である。
【００６３】
第２カード１００がケース２に挿入された場合、第２カード１００は判定部材５０の第２カード用ガイド面５２により、判定部材５０とカバー１０の平板部１１との間に誘導されるから、判定部材５０は図１６−２に示すように初期位置から動かず、可動部材４０のロックが維持される。したがって、第２カード１００の前端部は図１６−１に示すように可動部材４０に当接する。
【００６４】
図１７は図１６−１に示した状態から第２カードの挿入が進行し、第２カードおよびスライド部材が挿入方向への移動の限界位置に達したときのケース内の状態を示す平面図である。図１８は第２カードの装着が完了したときのケース内の状態を示す平面図である。
【００６５】
図１６−１に示した状態以後、第２カード１００は、可動部材４０を押圧することでスライド部材２０をコイルスプリング１５の弾性力に抗して挿入方向に押し動かしながら、図１７に示すように挿入方向への移動の限界位置に達する。そして、第２カード１００に対する押圧力が取り除かれると、ハート型カム溝３１とピン３２の位置関係によってスライド部材２０が停止し、複数の端子１０１のそれぞれが複数の第２カード用端子９のそれぞれと接触した状態に第２カード１００が保持され、図１８に示すように第２カード１００の装着が完了する。
【００６６】
なお、装着された状態の第２カード１００の後端がコイルスプリング１５の弾性力に抗して挿入方向に押圧されると、ハート型カム溝３１とピン３２の位置関係が変化し、スライド部材２０の停止が解除される。このとき、第２カード１００に対する押圧力が取り除かれると、コイルスプリング１５の復元力によりスライド部材２０とともに第２カード１００が排出方向に移動する。これにより、挿入方向および排出方向におけるケース２から突出する部分の長さ寸法が装着完了時よりも長くなり、使用者にとって第２カード１００が引き抜きやすくなる。
【００６７】
本実施形態によれば次の効果を得られる。
【００６８】
本実施形態によれば、第１カード９０と、この第１カード９０よりも長さ、幅および厚さのすべての寸法が短い第２カード１００とが選択的に装着できるから、カード用コネクタ装置の用途の自由度の向上に貢献できる。
【００６９】
本実施形態によれば、第２カード１００が装着された状態では可動部材４０がロックされているから、第２カード１００がこじられても可動部材４０が移動することはなく、したがって、こじりにより第２カード１００がケース２の奥に入りすぎることを防止できる。これにより、カード用コネクタ装置やカードの故障の低減に貢献できる。
【００７０】
本実施形態によれは、第２ロック部材７０が突出位置にあるときには、第２ロック部材７０とケース本体４の側壁６Ｂの間で第２カード１００の幅方向への移動を阻止でき、第２ロック部材７０が引込み位置にあるときには、第２ロック部材７０とケース本体４の側壁６Ｂの間で第１カードの幅方向の移動を阻止できる。これにより、使用者は第１，第２カード９０，１００の幅方向の姿勢を適切に保持した状態で挿入できる。
【００７１】
本実施形態によれば、ケース２の厚さ方向における第２カード１００のガイド機能を判定部材５０が兼ねるから、そのガイド機能を備えることに伴うカード用コネクタ装置の部品点数の増加が生じない。
【図面の簡単な説明】
【００７２】
【図１】本発明のカード用コネクタ装置の一実施形態の外観を示す斜視図である。
【図２】第１カードの外観を示す３面図であり、（ａ）は平面図、（ｂ）は側面図、（ｃ）は裏面図である。
【図３】第２カードの外観を示す３面図であり、（ａ）は平面図、（ｂ）は側面図、（ｃ）は裏面図である。
【図４】図１に示した実施形態が分解された状態を左側面側から見た分解斜視図である。
【図５】図１に示した実施形態が分解された状態の右側面側から見た分解斜視図である。
【図６】図４，５に示したスライド体の分解斜視図である。
【図７】図６に示したスライド部材のガイド溝と第１ロック部材の摺動突起とを示す斜視図である。
【図８】図４，５に示した可動部材と第１ロック部材と第２ロック部材と判定部材との位置関係を示す平面図である。
【図９】第１カードの前端部がケースの挿入口に挿入された初期の状態をであって、第１カードの挿入が判定部材により検出される前のケース内の状態を、カバーを取り除いて示す平面図である。
【図１０−１】図９に示した状態から第１カードの挿入が進行し、判定部材が第１カードの前端部の挿入を検出して第２ロック部材に対する移動の阻止を解除したときのケース内の状態を平面図である。
【図１０−２】図１０−１に示した状態における判定部材および第１，第２ロック部材の側面図である。
【図１１−１】図１０−１に示した状態から第１カードの挿入が進行し、第１カードの面取り部が第２ロック部材を押圧操作し始めたときのケース内の状態を示す平面図である。
【図１１−２】図１１−１に示した状態における第１カードと第１ロック部材と２ロック部材と可動部材との位置関係を示す平面図である。
【図１２−１】図１１−１に示した状態から第１カードの挿入が進行し、可動部材のロックが解除されたときのケース内の状態を示す平面図である。
【図１２−２】図１２−１に示した状態における第１カードと第１ロック部材と第２ロック部材と可動部材との位置関係を示す平面図である。
【図１３−１】図１２−１に示した状態から第１カードの挿入が進行し、第１カードの前端部がスライド部材に当接したときのケース内の状態を示す平面図である。
【図１３−２】図１３−１に示した状態における第１カードと第１ロック部材と第２ロック部材と可動部材との位置関係を示す平面図である。
【図１４】図１３−１に示した状態から第１カードの挿入が進行し、第１カードおよびスライド部材が挿入方向への移動の限界位置に達した状態を示す平面図である。
【図１５】第１カードの装着が完了したときのケース内の状態を示す平面図である。
【図１６−１】ロックされた可動部材に第２カードの前端部が当接したときのケース内の状態を示す平面図である。
【図１６−２】図１６−１に示した状態における判定部材および第１，第２ロック部材の側面図である。
【図１７】図１６−１に示した状態から第２カードの挿入が進行し、第２カードおよびスライド部材が挿入方向への移動の限界位置に達したときのケース内の状態を示す平面図である。
【図１８】第２カードの装着が完了したときのケース内の状態を示す平面図である。
【符号の説明】
【００７３】
１  カード用コネクタ装置
２  ケース
３  挿入口
４  ケース本体
５  底部
６Ａ，６Ｂ  側壁
７  前壁
８  第１カード用端子
９  第２カード用端子
１０  カバー
１１  平板部
１２Ａ，１２Ｂ  側板部
１３  前板部
１４  スライド体
１５  コイルスプリング
２０  スライド部材
２１  平坦面
２２，２３  ガイド溝
２４  ガイド面
２５  ガイド部
２６  ガイド孔
２７  円柱部
２８  突起部
３０  トーションスプリング
３０ａ  一端部
３０ｂ  他端部
３１  ハート型カム溝
３２  ピン
３３  片持ちバネ
４０  可動部材
４１，４２  突起部
４３  溝
４４  第１鍔部
４５  第２鍔部
４６  第１カード用傾斜面
５０  判定部材
５１  阻止部
５２  第２カード用ガイド面
５３  傾斜面
５４  平坦面
５５  トーションスプリング
６０  第１ロック部材
６１  突出部
６２  カム面
６３  第１カード用傾斜面
７０  第２ロック部材
７１  突起部
７２  カム面
７３  第１カード用傾斜面
８０，８１  バネ部材
８２  板体
８３  スリット
９０  第１カード
９１  端子
９２  面取り部
９３  切欠き
１００  第２カード
１０１  端子
１０２  面取り部
１０３  切欠き
【図１】
2008218337.tif 000003
【図２】
2008218337.tif 000004
【図３】
2008218337.tif 000005
【図４】
2008218337.tif 000006
【図５】
2008218337.tif 000007
【図６】
2008218337.tif 000008
【図７】
2008218337.tif 000009
【図８】
2008218337.tif 000010
【図９】
2008218337.tif 000011
【図１０−１】
2008218337.tif 000012
【図１０−２】
2008218337.tif 000013
【図１１−１】
2008218337.tif 000014
【図１１−２】
2008218337.tif 000015
【図１２−１】
2008218337.tif 000016
【図１２−２】
2008218337.tif 000017
【図１３−１】
2008218337.tif 000018
【図１３−２】
2008218337.tif 000019
【図１４】
2008218337.tif 000020
【図１５】
2008218337.tif 000021
【図１６−１】
2008218337.tif 000022
【図１６−２】
2008218337.tif 000023
【図１７】
2008218337.tif 000024
【図１８】
2008218337.tif 000025